(57)【要約】      （修正有）【課題】積載枚数が変わっても、積載最上位の高低差を小さくできる給送装置を提供する。【解決手段】本発明の給送装置は、昇降可能な底板を有する給送トレイと、底板の上に配置され、シートが積載される補助トレイ２９と、補助トレイに積載されたシートの一部が積載され、底板の昇降に伴って、上下方向に移動可能な傾斜テーブル２７と、を有する。傾斜テーブルは、下部テーブル２７ｂと、下部テーブルに支点で回転可能に連結された上部テーブル２７ａと、上部テーブルと下部テーブルの間に設けられ、上部テーブルを上方に付勢する弾性部材２７ｄとを具備する。上部テーブルが弾性部材により上方に付勢されるので、積載枚数が変わっても、積載最上位の高低差を小さくできる。【選択図】図１１
2018203536.tif 000002
【特許請求の範囲】
【請求項１】
昇降可能な底板を有する給送トレイと、
前記底板の上に配置され、シートが積載される補助トレイと、
前記補助トレイに積載された前記シートの一部が積載され、前記底板の昇降に伴って、上下方向に移動可能な傾斜テーブルと、を有し、
前記傾斜テーブルは、
下部テーブルと、
前記下部テーブルに支点で回転可能に連結された上部テーブルと、
前記上部テーブルと前記下部テーブルの間に設けられ、前記上部テーブルを上方に付勢する弾性部材とを具備することを特徴とする給送装置。
【請求項２】
前記シートの給送方向の後端の位置を規制するエンドフェンスを有し、
前記傾斜テーブルは、前記エンドフェンスに対して、上下方向に移動可能に取り付けられていることを特徴とする請求項１に記載の給送装置。
【請求項３】
前記エンドフェンスは、前記傾斜テーブルの移動方向の上部にストッパを有し、
前記傾斜テーブルの前記上部テーブルが、前記ストッパに当接して該上部テーブルが下部テーブル側に回転することを特徴とする請求項２に記載の給送装置。
【請求項４】
前記エンドフェンスは、前記傾斜テーブルとともに装置本体から着脱可能であることを特徴とする請求項２又は３に記載の給送装置。
【請求項５】
前記傾斜テーブルの前記上部テーブルは、前記補助トレイに対して傾斜し、前記上部テーブルの前記シートの給送方向下流側の先端部分の上面は、前記補助トレイの積載面よりも下にあり、前記補助トレイの積載面よりも上にある部分に前記シートが積載されることを特徴とする請求項１乃至４のいずれか一項に記載の給送装置。
【請求項６】
前記補助トレイは、前記傾斜テーブルと嵌め合い構成であることを特徴とする請求項１乃至５のいずれか一項に記載の給送装置。
【請求項７】
前記傾斜テーブルは、前記エンドフェンスから着脱可能であることを特徴とする請求項２乃至４のいずれか一項に記載の給送装置。
【請求項８】
補助トレイ拡張部が、前記補助トレイと前記傾斜テーブルの間に嵌め合い構成で設けられることを特徴とする請求項１乃至７のいずれか一項に記載の給送装置。
【請求項９】
前記補助トレイ拡張部は、着脱部材により前記底板に取り付けられることを特徴とする請求項８のいずれか一項に記載の給送装置。
【請求項１０】
前記補助トレイは、着脱部材により前記底板に取り付けられることを特徴とする請求項１乃至９のいずれか一項に記載の給送装置。
【請求項１１】
前記着脱部材は吸着部材であることを特徴とする請求項９又は１０に記載の給送装置。
【請求項１２】
エアを吹き付けて前記シートを浮上させる浮上手段を有し、
前記補助トレイに、前記浮上手段からのエアをためるエアだまりが設けられていることを特徴とする請求項１乃至１１のいずれか一項に記載の給送装置。
【請求項１３】
エアを吹き付けて前記シートを浮上させる浮上手段を有し、
前記補助トレイ拡張部に、前記浮上手段からのエアをためるエアだまりが設けられていることを特徴とする請求項８又は９に記載の給送装置。
【請求項１４】
前記シートは袋状のシートであって、該袋状のシートの相対的に厚みが小さい領域が前記傾斜テーブルに設置されることを特徴とする請求項１乃至１３のいずれか一項に記載の給送装置。
【請求項１５】
請求項１乃至１４のいずれか一項に記載の給送装置と、画像形成装置とを備える画像形成システム。
【発明の詳細な説明】
【技術分野】
【０００１】
本発明は、給送装置及び画像形成システムに関する。
【背景技術】
【０００２】
画像形成装置本体に供給する記録媒体（シート）を積載する記録媒体収納装置として、大容量給紙トレイ（ＬＣＴ）が知られている。記録媒体収納装置は、記録媒体を底板上に積載・収納し、サイドフェンス及びエンドフェンスにより収納された記録媒体の端部を規制する。このような記録媒体収納装置には、普通紙、薄紙、厚紙などの他に、ＯＨＰシート、ラベル紙や、封筒、袋、薬袋などの厚さが不均一な袋状のシートも積載される。
【０００３】
ところで、封筒のような袋状のシートは、底板に積載した際、積載した封筒の高さが四辺で異なる。封筒や袋などは、１枚のシートを折りたたんで構成されており、位置によってシートの重なりが複数となるためである。このような封筒を積み重ねたとき、封筒の底部は特に重なりが多く、積載高さが高くなる。記録媒体収納装置には、通常、積載高さの高い方を給紙側に向けて配置するため、給紙口とは反対のエンドフェンス側の積載高さは低くなる。
【０００４】
そのため、特に上部に吸着ベルトがあるエア給紙の場合、大きな高低差があると封筒や袋を吸着ベルト全面で吸着することができず、不送りといったジャムの原因となる。これを防ぐために、積載された最上位面は、高低差を少なくすることが求められる。
【０００５】
また、エア給紙だけでなく、通常の摩擦分離による給紙方式（例えば、ＦＲＲ給紙）の場合も同様である。最上位面に高低差があるとピックアップローラ圧がかかりづらくなるため、不給紙や重送といったジャムが発生し易い。そこで、積載最上位面の高低差を無くすため、底板とは別に積載封筒を持ち上げる構成を有する記録媒体収納装置が知られている。
【０００６】
例えば特許文献１には、大量の封筒を積載したとしても、封筒の不送りや重送などの不具合が発生しない封筒給紙台カセットが開示されている。この封筒給紙台カセットは、特に、封筒における厚みの薄い封筒開口側を積載する傾斜テーブルと、傾斜テーブルを複数の傾斜角度に保持させる保持手段とを有する。そのため、積載台上の封筒底側の最上位面をほぼ平坦にした状態で、封筒を給紙手段により給紙できる。
【発明の概要】
【発明が解決しようとする課題】
【０００７】
しかし、特許文献１の封筒給紙台カセットは、封筒サイズ、種類によって傾斜テーブル（可動テーブル）の角度をそれら封筒がセットされる状態に調整する必要がある。特許文献１の封筒給紙台カセットは、積載枚数が少なくなったときにテーブル角度が大きくなり、大きな高低差が生じてしまう問題があった。
【０００８】
そこで本発明は、積載枚数が変わっても、積載最上位の高低差を小さくできる給送装置の提供を目的とする。
【課題を解決するための手段】
【０００９】
上記課題は、昇降可能な底板を有する給送トレイと、前記底板の上に配置され、シートが積載される補助トレイと、前記補助トレイに積載された前記シートの一部が積載され、前記底板の昇降に伴って、上下方向に移動可能な傾斜テーブルと、を有し、前記傾斜テーブルは、下部テーブルと、前記下部テーブルに支点で回転可能に連結された上部テーブルと、前記上部テーブルと前記下部テーブルの間に設けられ、前記上部テーブルを上方に付勢する弾性部材とを具備することを特徴とする給送装置によって解決される。
【発明の効果】
【００１０】
本発明の給送装置は、積載枚数が変わっても、積載最上位の高低差を小さくできる。
【図面の簡単な説明】
【００１１】
【図１】本発明の一実施形態に係る画像形成システムの概略構成図である。
【図２】本発明の一実施形態に係る給送装置を正面からみた概略構成図である。
【図３】本発明の一実施形態に係る、底板の昇降手段の概要構成図である。
【図４】本発明の一実施形態に係る給送トレイの概略斜視図である。
【図５】本発明の一実施形態に係る給送トレイの概略断面図である。
【図６】本発明の一実施形態に係る給送トレイの底板付近の拡大概略断面図である。
【図７】本発明の一実施形態に係る給送トレイの底板付近の拡大概略断面図（その２）である。
【図８】本発明の一実施形態に係る給送トレイの底板付近の拡大概略断面図（その３）である。
【図９】本発明の一実施形態に係る給送トレイの底板付近の拡大概略断面図（その４）である。
【図１０】本発明の一実施形態に係る傾斜テーブルとエンドフェンスの概略側面図である。
【図１１】本発明の一実施形態に係る補助トレイを斜め前方からみた斜視図である。
【図１２】本発明の一実施形態に係る補助トレイを斜め後方からみた斜視図である。
【図１３】本発明の一実施形態に係る補助トレイの側面図である
【図１４】本発明の一実施形態に係る補助トレイの底面図である。
【図１５】（ａ）は本発明の一実施形態に係るエンドフェンスを斜め後方から見た斜視図であり、（ｂ）は本発明の一実施形態に係るエンドフェンスを斜め前方から見た斜視図である。
【図１６】傾斜テーブルがエンドフェンス上部に上昇した状態を示す斜視図である。
【図１７】本発明の一実施形態に係る給送トレイを斜め上方からみた斜視図である。
【図１８】図１７に示した給送トレイの部分拡大図である。
【図１９】図１７に示した給送トレイを上方からみた平面図である。
【図２０】操作パネル上に表示される補給メッセージの一例を示す図である。
【図２１】封筒の用紙の重なりを示す模式図である。
【図２２】封筒の積載状態の一例を示す斜視図である。
【図２３】封筒の積載状態の別例を示す図である。
【図２４】本実施形態の給送装置に積載された封筒の状態示す図であり、（ａ）は多数積載された状態を示し、（ｂ）は残り数枚が積載された状態を示す。
【発明を実施するための形態】
【００１２】
以下、本発明の実施形態について添付図面を参照しながら説明する。ここで、シートとして、シートの給送方向において厚みが異なるシート、例えば袋状のシートである封筒を用いて説明する。袋状のシートとしては、他に袋、薬袋などがある。なお、給送するシートに画像や文字が記録される場合には、シートを記録媒体とも称する。
【００１３】
図１は、本発明の一実施形態に係る画像形成システムの概略構成図である。図１に示すように、画像形成システム１は、画像形成装置１００と、画像形成装置１００に用紙又は封筒を給送する給送装置２００とを備える。給送装置２００は、画像形成装置１００本体の側面に設けられている。
【００１４】
図２は、本発明の一実施形態に係る給送装置を正面からみた概略構成図である。図２に示すように、給送装置２００は、上下２段の給送トレイ１３を備える。各給送トレイ１３は、昇降する底板１５を備える。シートとして用紙を用いる場合には、底板１５に用紙Ｐ束が積載され、シートとして封筒を用いる場合には、底板１５に封筒Ｐ束が積載される。なお、本実施形態において、各給送トレイ１３は、最大２５００枚程度の用紙を収納可能である。
【００１５】
また、各給送トレイ１３の上方には、給送トレイ１３に積載された用紙又は封筒Ｐ束を分離・給送する給送ユニット２０がそれぞれ配置されている。給送ユニット２０は、吸着搬送手段である吸着ベルト１０及び吸引送風装置４０を備える。また、各給送トレイ１３には、底板１５の昇降を制御するためのシート（記録媒体）検知センサ１４が設けられている。下側の給送トレイ１３に積載された用紙又は封筒Ｐは、下搬送路１２を通って、出口ローラ対８０によって、画像形成装置１００へ搬送される。上側の給送トレイ１３に積載された用紙又は封筒Ｐは、上搬送路１１を通って、出口ローラ対８０によって、画像形成装置１００へ搬送される。
【００１６】
なお、給送ユニット２０は、吸着搬送手段に限らず、封筒又は用紙にローラが接触して、ローラの回転によって封筒又は用紙を給送する方式としてもよい。
【００１７】
図３は、本発明の一実施形態に係る、底板の昇降手段の概要構成図である。図３に示すように、底板１５はワイヤ３３に接続されており、プーリー３４が回転してワイヤ３３が巻き取られることにより、底板１５が上昇する。プーリー３４はモータ１９の駆動軸に接続され、モータ１９の駆動軸が回転することでワイヤ３３の巻き取りが行われる。
【００１８】
底板１５の昇降手段は、図３に示されるものに限らない。たとえば、上下方向に表面移動する回転ベルトに底板１５を取り付けて、回転ベルトをモータによって回転させることによって、底板１５を上下方向に昇降させてもよい。
【００１９】
図４は、本発明の一実施形態に係る給送トレイの概略斜視図である。給送ユニット２０の吸着ベルト１０は、ベルト表面側から裏面側まで貫通する吸引孔１０ａが周方向全域に設けられ、２本の張架ローラ７ａ、７ｂにより張架されている。吸着ベルト１０の内部には、先の図２に示した吸引送風装置４０が設けられている。
【００２０】
また、給送トレイ１３は、用紙又は封筒Ｐ束を給送方向と直行する方向に整列保持するサイドフェンス２３と、用紙又は封筒Ｐ束を給送方向に整列保持するエンドフェンス２５とを備える。つまり、サイドフェンス２３は、用紙又は封筒Ｐの給送方向と直交する方向の端部に突き当たり、当該端部の位置を規制する。また、エンドフェンス２５は、用紙又は封筒Ｐの給送方向の後端部に突き当たり、後端部の位置を規制する。また、用紙又は封筒Ｐ束の上部の用紙にエア（空気）を吹き付けて浮上させる浮上手段である送風装置２２を備える。送風装置２２は、送風ファン３５と、フロントダクト２１と、サイドフェンス２３に設けられた一対のサイドダクト３６とを有する。送風装置２２は、送風ファン３５により、フロントダクト２１と一対のサイドダクト３６にエアを送り込む。
【００２１】
フロントダクト２１に送り込まれたエアは、用紙又は封筒Ｐ束の上部先端（給送方向下流側の端部）と対向する吹出口３７から吹き出され、用紙又は封筒Ｐ束の上部先端に吹き付けられる。また、サイドダクト３６に送り込まれたエアは、各サイドフェンス２３の用紙又は封筒Ｐ束の上部と対向する箇所に設けられた吹出口３８から吹き出され、用紙又は封筒Ｐ束の上部側面に吹き付けられる。フロントダクト２１と一対のサイドダクト３６から吹き出されたエアにより、用紙又は封筒Ｐ束の上部の用紙又は封筒が浮上する。
【００２２】
図５は、本発明の一実施形態に係る給送トレイの概略断面図である。吸引送風装置４０は、空気の流路であるダクト４１と、そのダクト４１を介して空気を吸引又は送風する吸引送風ファン４２とを備える。吸引送風装置４０により下方に正圧を発生させることで、吸着ベルト１０の下面にある用紙又は封筒Ｐのうちで浮上している用紙を押し下げることができる。また、吸引送風装置４０により下方に負圧を発生させることで、吸着ベルト１０の下面にある用紙又は封筒Ｐを吸着させることができる。
【００２３】
また、図５に示すように、吸着ベルト１０に対して搬送方向下流側には下流側搬送部材である搬送ローラ対８が配置され、吸着ベルト１０によって搬送されて２つのローラの間に到達した用紙又は封筒Ｐをさらに下流側に向けて搬送する。この搬送ローラ対８の搬送力は、吸着ベルト１０の搬送力より大きく設定される。また、搬送ローラ対８に対して搬送方向下流側には用紙又は封筒Ｐの通過を検知する給送センサ９が設けられている。
【００２４】
図６は、本発明の一実施形態に係る給送トレイの底板付近の拡大概略断面図である。図６に示すように、底板１５の上には、補助トレイ２９と傾斜テーブル２７が設置され、それらの上に封筒Ｐが積載されている。なお、封筒Ｐの相対的に厚みが小さい領域が傾斜テーブル２７に設置される。
【００２５】
底板１５は、上下に昇降可能な構成であり、シート検知センサ１４が封筒Ｐを検知するまで上昇される。また、傾斜テーブル２７は、エンドフェンス２５に対して上下方向に移動可能に支持されている。したがって、底板１５の昇降に伴い、補助トレイ２９と傾斜テーブル２７も昇降される。
【００２６】
傾斜テーブル２７は、上部テーブル２７ａと下部テーブル２７ｂとが支点２７ｃで連結されている。上部テーブル２７ａと下部テーブル２７ｂの間には、弾性部材である加圧バネ２７ｄが設けられている。加圧バネ２７ｄは上部テーブル２７ａに付勢力を与えるので、上部テーブル２７ａは支点２７ｃを中心に回転し、下部テーブル２７ｂに対して斜め方向に支持される。また、エンドフェンス２５の上方（傾斜テーブル２７の移動方向の上部）にはストッパ２６が着脱可能に取り付けられている。ストッパ２６は、上部テーブル２７ａの回転を規制する役割を有する。このように構成されているので、封筒Ｐの傾斜テーブル２７上に積載された部分は、上部テーブル２７ａにより下部テーブル２７ｂに対して上方に持ち上げられる。
【００２７】
ここで、ストッパ２６は、底板１５が上昇した際に、積載された封筒が、先の図５で示した給送ユニット２０と接触しない位置に設けられている。
【００２８】
図７は、本発明の一実施形態に係る給送トレイの底板付近の拡大概略断面図（その２）である。図７は、図６よりも封筒の積載枚数が少ない状態を示している。底板１５は、シート検知センサ１４が封筒Ｐを検知するまで上昇する。そのため、底板１５が上昇することで、上部テーブル２７ａがストッパ２６に当接して、折りたたまれていく。つまり、底板１５が上昇するにつれて、ストッパ２６が上部テーブル２７ａを押し下げるので、上部テーブル２７ａは補助トレイ２９に対して傾きが小さくなる。
【００２９】
図８は、本発明の一実施形態に係る給送トレイの底板付近の拡大概略断面図（その３）である。図８は、図７よりもさらに封筒の積載枚数が少ない状態を示している。底板１５がさらに上昇することで、上部テーブル２７ａがさらに折りたたまれ、補助トレイ２９とほぼ同じ高さとなっている。
【００３０】
本実施形態では、上部テーブル２７ａと下部テーブル２７ｂの間に、弾性部材である加圧バネ２７ｄが設けられ、加圧バネ２７ｄは上部テーブル２７ａに付勢力を与えている。これにより、上部テーブル２７ａは下部テーブル２７ｂに対して回転可能としているので、上部テーブル２７ａは、置かれた封筒束の積載量に応じて、補助トレイ２９に対しての傾きが可変となる。
【００３１】
封筒の積載枚数が少ない場合には、封筒束の最上位面の高低差は小さいので、補助トレイ２９に対しての上部テーブル２７ａの傾きを小さくする必要がある。
【００３２】
本実施形態においては、封筒の積載枚数が少なくなると、底板１５が上方するので、ストッパ２６によって上部テーブル２７ａが押し下げられる。これによって、補助トレイ２９に対しての上部テーブル２７ａの傾きが小さくなるので、封筒の積載枚数が少なくなっても、封筒束の最上位面の高低差を小さくすることができる。
【００３３】
図９は、本発明の一実施形態に係る給送トレイの底板付近の拡大概略断面図（その４）である。図９は、補助トレイ２９上に封筒Ｐを積載した後、エンドフェンス２５を取り付ける状態を示している。エンドフェンス２５は、傾斜テーブル２７とともに装置本体から着脱可能である。
【００３４】
傾斜テーブル２７の給送方向下流側の先端部分の上面は、補助トレイ２９の積載面よりも下（Δｈ）に位置しており、補助トレイ２９に積載された封筒束の下部を引っ掛けることなく、エンドフェンス２５を取り付けることができる。
【００３５】
図１０は、本発明の一実施形態に係る傾斜テーブルとエンドフェンスの概略側面図である。図１０は、傾斜テーブル２７をエンドフェンス２５から取り外した状態を示している。エンドフェンス２５からストッパ２６を取り外すことにより、傾斜テーブル２７を上方に移動させてエンドフェンス２５から取り外すことができる。
【００３６】
図１１は、本発明の一実施形態に係る補助トレイを斜め前方からみた斜視図である。図１１において、図６と同一物には同一符号を付してその詳細な説明は省略する。
【００３７】
図１１に示す補助トレイ２９は、傾斜テーブル２７と嵌め合い構成となっている。また、補助トレイ２９の両側には、エアだまり部２９ａが設けられている。封筒の積載枚数が少ない場合、サイドフェンス２３（図４参照）から吹き出される空気をエアだまり部２９ａにためておくことができる。また、重量のある封筒や、浮上時にバランスの取りにくい封筒の場合、底面からのエア吹きつけにより封筒を持ち上げることができる。
【００３８】
ここで、給送トレイ１３の上方には、底板１５又は補助トレイ２９に積載された封筒又は用紙の有無を検知するためのセンサ４３（シートエンド検知センサとも言う）が設けられている。底板１５が上昇すると、傾斜テーブル２７はセンサ４３に近づくので、上部テーブル２７ａには、開口穴で形成されたセンサ逃げ部２７ｅが設けられている。
【００３９】
図１２は、本発明の一実施形態に係る補助トレイを斜め後方からみた斜視図である。図１２において、図１１と同一物には同一符号を付してその詳細な説明は省略する。
【００４０】
エンドフェンス２５の上部に取り付けられたストッパ２６は、回転可能なコロを有しており、上部テーブル２７ａとの摺動性を向上している。また、傾斜テーブル２７は、下部テーブル２７ｂの後方に設けられたかかり部２７ｆにより、エンドフェンス２５に対し上下方向に移動可能に支持されている。これにより、底板１５が昇降すると、傾斜テーブル２７はエンドフェンス２５にガイドされながら上下方向に移動する。
【００４１】
なお、図１２において、加圧部材である加圧バネ２７ｄは、コイルバネの形状をしているが、これに限定されない。上部テーブル２７ａを上方に付勢するものであればよく、例えば板バネを用いてもよい。
【００４２】
図１３は、本発明の一実施形態に係る補助トレイの側面図である。図１３において、図１１と同一物には同一符号を付してその詳細な説明は省略する。
【００４３】
図１３に示すように、上部テーブル２７ａと下部テーブル２７ｂの間に、加圧バネ２７ｄを複数設けてもよい。上部テーブル２７ａ上の封筒の積載重量に釣り合うように、上部テーブル２７ａの付勢力を増やすことができる。
【００４４】
図１４は、本発明の一実施形態に係る補助トレイの底面図である。図１４において、図１１と同一物には同一符号を付してその詳細な説明は省略する。
【００４５】
図１４に示すように、補助トレイ２９の底面に、複数の着脱部材３０を設けてもよい。着脱部材３０は、例えばマグネットのような吸着部材であり、底板１５（図６参照）に吸着させることで、補助トレイ２９を底板１５の動きと連動させることができる。また、着脱部材として、面ファスナーを用いてもよい。これにより、ユーザによる補助トレイ２９の取り付け／外しは容易である。
【００４６】
図１５（ａ）は本発明の一実施形態に係るエンドフェンスを斜め後方から見た斜視図であり、図１５（ｂ）は本発明の一実施形態に係るエンドフェンスを斜め前方から見た斜視図である。図１１と同一物には同一符号を付してその詳細な説明は省略する。
【００４７】
図１５に示すように、エンドフェンス２５の上部には、ストッパ２６が両側（２箇所）も取り付けられている。このストッパ２６は、１つであってもよい。
【００４８】
図１６は、傾斜テーブルがエンドフェンス上部に上昇した状態を示す斜視図である。図１６において、図１１と同一物には同一符号を付してその詳細な説明は省略する。
【００４９】
先に説明したように、傾斜テーブル２７は、エンドフェンス２５に対し、上下方向に移動可能に取り付けられており、底板１５の上昇に伴って上昇させることができる。また、傾斜テーブル２７はエンドフェンス２５とともに封筒の給送方向へ移動させることもできる。
【００５０】
傾斜テーブル２７には、上部テーブル２７ａと下部テーブル２７ｂの間に加圧バネ２７ｄ設けられており、この加圧バネ２７ｄの弾性力により、上部テーブル２７ａが付勢されることで、上部テーブル２７ａに積載された封筒を押し上げる。
【００５１】
図１７は、本発明の一実施形態に係る給送トレイを斜め上方から見た斜視図である。分かりやすくするため、一部の部品を省略している。図１７において、図１１と同一物には同一符号を付してその詳細な説明は省略する。
【００５２】
図１７に示すように、洋長３（１２０ｍｍ×２３５ｍｍ）サイズの封筒用の補助トレイ２９と傾斜テーブル２７の間に、角２（２４０ｍｍ×３３２ｍｍ）サイズの封筒用の補助トレイ拡張部３１が設けられている。補助トレイ拡張部３１は凸部３１ａと凹部３１ｂとを有する。凸部３１ａは補助トレイ２９が有する凹部２９ｂと嵌まり合い、凹部３１ｂは傾斜テーブル２７と嵌まり合う。補助トレイ拡張部３１により、傾斜テーブル２７を交換することなく別の封筒サイズ（図では角２サイズ）にも容易に対応できる。
【００５３】
補助トレイ拡張部３１にも補助トレイ２９と同様に底面に着脱部材３０が設けられ、底板１５に取り付けができる。
【００５４】
図１８は、図１７に示した給送トレイの部分拡大図である。図１８において、図１７と同一物には同一符号を付してその詳細な説明は省略する。
【００５５】
図１８に示すように、補助トレイ拡張部３１にもエアだまり部３１ｃが両側２箇所に設けられている。積載枚数が少なくなった際に、補助トレイ２９のエアだまり部２９ａと補助トレイ拡張部３１のエアだまり部３１ｃに、サイドフェンス２３からエア吹きつける。これにより、重量のある封筒やバランスのとりにくい封筒を持ち上げることができる。
【００５６】
図１９は、図１７に示した給送トレイを上方からみた平面図である。図１９において、図１７と同一物には同一符号を付してその詳細な説明は省略する。
【００５７】
洋長３用の補助トレイ２９を設置する際、サイドフェンス２３を補助トレイ２９に押し当てて、幅Ｗ１（封筒幅）を定めることができる。また、角２用の補助トレイ拡張部３１を設置する際、サイドフェンス２３を補助トレイ拡張部３１に押し当てて、幅Ｗ２（封筒幅）を定めることができる。また、エンドフェンス２５も各補助トレイに傾斜テーブル２７を押し当てて設置（嵌め合い）することにより、各サイズの封筒の長さＬ１、Ｌ２に合わせることができる。
【００５８】
図２０は、操作パネル上に表示される補給メッセージの一例を示す図である。図２０に示すように、封筒補給時にエア設定を操作パネル５０上で行えるようにすると有利である。ユーザは、操作パネル５０を見ながら、エア極性などのエア設定をシートごとに容易に切替えることができる。
【００５９】
（補足）
以下より、多数積載した封筒の状態（重なり高さ）について補足説明する。
【００６０】
図２１は、封筒の重なりを示す模式図である。封筒の構造から、封筒の底ｔ３、ｔ４がそれぞれ３枚、４枚重ねとなる。また、両側ｔ３も３枚重ねとなる。
【００６１】
図２２は、封筒の積載状態の一例を示す斜視図である。この例では、封筒の底の厚みが高くなっている。図２３は、封筒の積載状態の別例を示す図である。この例では、封筒の両側の厚みが高くなっている。
【００６２】
図２４は、本実施形態の給送装置に積載された封筒の状態示す図であり、（ａ）は多数積載された状態を示し、（ｂ）は残り数枚が積載された状態を示している。図２４（ａ）では、封筒の中央部が高く支持されていることが分かる。一方、図２４（ｂ）では、最上位面が平らになることが分かる。
【００６３】
以上、実施形態を用いて本発明を詳細に説明した。この実施形態は一例であり、要旨を逸脱しない範囲内で種々変更して使用できる。
【符号の説明】
【００６４】
１  画像形成システム
７ａ、７ｂ  張架ローラ
８  搬送ローラ対
９  給送センサ
１０  吸着ベルト
１０ａ  吸引孔
１１  上搬送路
１２  下搬送路
１３  給送トレイ
１４  シート検知センサ
１５  底板
１９  モータ
２０  給送ユニット
２１  フロントダクト
２２  送風装置
２３  サイドフェンス
２５  エンドフェンス
２６  ストッパ
２７  傾斜テーブル
２７ａ  上部テーブル
２７ｂ  下部テーブル
２７ｃ  支点
２７ｄ  加圧バネ
２７ｅ  センサ逃げ部
２７ｆ  かかり部
２９  補助トレイ
２９ａ  エアだまり部
２９ｂ  補助トレイの凹部
３０  着脱部材
３１  補助トレイ拡張部
３１ａ  補助トレイ拡張部の凸部
３１ｂ  補助トレイ拡張部の凹部
３１ｃ  エアだまり部
３３  ワイヤ
３４  プーリー
３５  送風ファン
３６  サイドダクト
３７、３８  吹出口
４０  吸引送風装置
４１  ダクト
４２  吸引送風ファン
４３  センサ
５０  操作パネル
８０  出口ローラ対
１００  画像形成装置
２００  給送装置
Ｐ  用紙（封筒）
【先行技術文献】
【特許文献】
【００６５】
【特許文献１】特開平１０−０３５９０１号
【図１】
2018203536.tif 000003
【図２】
2018203536.tif 000004
【図３】
2018203536.tif 000005
【図４】
2018203536.tif 000006
【図５】
2018203536.tif 000007
【図６】
2018203536.tif 000008
【図７】
2018203536.tif 000009
【図８】
2018203536.tif 000010
【図９】
2018203536.tif 000011
【図１０】
2018203536.tif 000012
【図１１】
2018203536.tif 000013
【図１２】
2018203536.tif 000014
【図１３】
2018203536.tif 000015
【図１４】
2018203536.tif 000016
【図１５】
2018203536.tif 000017
【図１６】
2018203536.tif 000018
【図１７】
2018203536.tif 000019
【図１８】
2018203536.tif 000020
【図１９】
2018203536.tif 000021
【図２０】
2018203536.tif 000022
【図２１】
2018203536.tif 000023
【図２２】
2018203536.tif 000024
【図２３】
2018203536.tif 000025
【図２４】
2018203536.tif 000026